(57)【要約】【課題】操作性に優れ、簡便な通信制御方式によって１回の回線接続でファクシミリ通信とテレビ電話とを可能とするテレビ電話機能付きファクシミリ通信機および通信制御ユニットを提供する。【解決手段】テレビ電話モデムａ３６を有するテレビ電話ユニットａ３と、ファックスモデムａ２６を有するファクシミリ通信ユニットａ２と、通信制御ユニットａ４とを備え、前記ファクシミリ通信ユニットａ２からの入力信号がファクシミリ送信信号である場合に前記ファックスモデムａ２６が公衆回線Ｌに接続され、前記入力信号がファクシミリ終了信号である場合に前記テレビ電話モデムａ３６が公衆回線Ｌに接続されるテレビ電話機能付きファクシミリ通信機とする。【選択図】　　　　図２
2004048578.tif 000002
【特許請求の範囲】
【請求項１】
テレビ電話モデムを有するテレビ電話ユニットと、
ファックスモデムを有するファクシミリ通信ユニットと、
前記テレビ電話モデムとファックスモデムとに接続され、前記ファクシミリ通信ユニットからの入力信号により当該テレビ電話モデムとファックスモデムとのいずれか一が公衆回線に接続される通信制御ユニットとを備え、
前記入力信号が前記ファクシミリ通信ユニットからのファクシミリ送信信号である場合に前記ファックスモデムが公衆回線に接続され、
前記入力信号が前記ファクシミリ通信ユニットからのファクシミリ終了信号である場合に前記テレビ電話モデムが公衆回線に接続されることを特徴とするテレビ電話機能付きファクシミリ通信機。
【請求項２】
テレビ電話機に付属のテレビ電話モデムと接続される第１端子部と、ファクシミリ通信機に付属のファックスモデムと接続される第２端子部と、公衆回線と接続される第３端子部と、前記ファクシミリ通信機から受信する信号に基づき、第３端子部との接続を第１端子部、第２端子部いずれかに切り替えるモデム切り替え部とを備え、
前記モデム切り替え部が前記ファクシミリ通信機からファクシミリ送信信号を受信した場合に前記第２端子部と第３端子部とを接続し、前記ファクシミリ通信機からファクシミリ終了信号を受信した場合に前記第１端子部と第３端子部とを接続することを特徴とする通信制御ユニット。
【発明の詳細な説明】
【０００１】
【発明の属する技術分野】
本発明は、テレビ電話機能付きファクシミリ通信機および通信制御ユニットに関するものである。
【０００２】
【従来の技術】
近年、民生用通信機として、従来からある電話機に加えて、ファクシミリ通信機やテレビ電話機などが登場し、遠隔通信者の間のコミュニケーションツールが増えてきている。
【０００３】
これらは、通信者間のやり取りする情報のやり取りの形態の観点で見ると次の３つに分類される。
（１）音声のみのやり取り：電話機
（２）文字を含む書面（画像）のみのやり取り：ファクシミリ通信機
（３）音声および画像のやり取り：テレビ電話機
これらはこれまでに上記形態それぞれの長所短所に応じて使い分けがなされていた。
【０００４】
【発明が解決しようとする課題】
しかしながら、これまでに上記コミュニケーションツールのどれをとっても、以下に示す意思疎通の要求が満たされないために遠隔通信者にとって完全に満足のいくツールは存在しなかった。なお、ここで意思疎通とは、単に情報を伝えるだけではなく、その情報の内容が理解されたかなどの確認や、意見交換や討議などによる相互理解や合意までも行うことを意味する。
（要求１）伝達情報に関する意思疎通
具体的には、文字、形、色、動き、質感などの伝達情報に関して意思疎通することである。この要求は、綿密な打ち合わせが必要なビジネス社会において特に強い。
「音声のみのやり取り」が言葉による表現でしか伝えることができないため、伝えられる情報量は相対的に最も少なかった。
「文字を含む書面（画像）のみのやり取り」が最も多くの情報量を効率的に伝えることができるが、その場その場で理解されたかなどの確認がすぐにはできず、分からないところがあった場合には再度書面をやり取りする必要があるといった意思疎通の面で不便なところがあった。
「音声および画像のやり取り」はこの中で最も意思疎通を図りやすいが、説明を受ける側は手元にその関係の書面がなく、それを見聞きするだけであるため、情報が詳細になるほど全体的理解が困難となる傾向があった。
【０００５】
（要求２）どう思っているかなど感情的な面の意思疎通
「音声および画像のやり取り」は表情と声とによるやり取りができるため感情的な面が最も伝わりやすく、「文字を含む書面（画像）のみのやり取り」が感情的な面が最も伝わりにくい。書面（画像）だけではどうしても突き放されたような冷たい印象を受けるため、受け手は得てして不満足なことが多く、送り手も書面では感情的な面の表現が難しいため不満足なことが多い。
この要求は、例えば田舎のお年寄りと都市部の孫との間の通信のような離れて暮らしている家族、親戚、友人などの間の通信の場合において強い。
【０００６】
以上のように各ツールともに一長一短であるため、一般的に使用する第１のツールの短所を補うように第２のツールを使用することにより意思疎通の改善を図っている。上記のツールの中では第１のツールをファクシミリ通信機とし、第２のツールをテレビ電話機とする組み合わせが相互の短所を補い、かつ上記要求を満たす最良の組み合わせである。具体的には、ファクシミリ通信により書面を送信し、その後にテレビ電話により送信書面の内容の説明や意見交換などを行う。これによって上記の意思疎通に関する要求は満たされるが、既存の２つのツールを別個に使用するため、その都度通信回線を架け直す手間が必要であり、操作の点で不便であった。
【０００７】
また、最近では特開平５−３０５０２号公報に、多重化処理技術を導入したテレビ電話機が開示されている。これによって、テレビ電話とファクシミリ通信が同時に使用できるようになるが、テレビ電話としての音声と画像の符号化情報を多重化して送受信しているところにさらにファクシミリ通信の情報（データ）を多重化する通信制御方式となるため、より複雑な通信制御回路となり、通信機の保守点検の面や製造原価の面で好ましいものではなかった。
【０００８】
本発明は、以上の従来技術における問題に鑑みてなされたものであり、操作性に優れ、簡便な通信制御方式によって１回の回線接続でファクシミリ通信とテレビ電話とを可能とするテレビ電話機能付きファクシミリ通信機および通信制御ユニットを提供することを目的とする。
【０００９】
【課題を解決するための手段】
前記課題を解決するために提供する本願第一の発明に係るテレビ電話機能付きファクシミリ通信機は、テレビ電話モデムを有するテレビ電話ユニットと、ファックスモデムを有するファクシミリ通信ユニットと、前記テレビ電話モデムとファックスモデムとに接続され、前記ファクシミリ通信ユニットからの入力信号により当該テレビ電話モデムとファックスモデムとのいずれか一が公衆回線に接続される通信制御ユニットとを備え、前記入力信号が前記ファクシミリ通信ユニットからのファクシミリ送信信号である場合に前記ファックスモデムが公衆回線に接続され、前記入力信号が前記ファクシミリ通信ユニットからのファクシミリ終了信号である場合に前記テレビ電話モデムが公衆回線に接続されることを特徴とする。
【００１０】
この発明により、回線を切断することなく１回の回線接続でファクシミリ通信に続き、テレビ電話によるやり取りが可能となる。また、ファクシミリ通信のスタートボタンを押下するとファクシミリ通信が開始され、その後ファクシミリ通信からテレビ電話へは自動的に切り替わり、引き続きテレビ電話によるやり取りができる。ファクシミリ通信からテレビ電話への切り替えを意識する必要もなく、１回のボタン操作だけの簡単操作が可能である。さらに、制御方式も入力信号による回線のスイッチ切り替えの方式となるため、通信機の構成も単純となる。なお、通信制御ユニットにおいて、公衆回線から相手側からのファクシミリ通知信号を受信した場合にファックスモデムを公衆回線に接続するようにしてもよい。
また、前記入力信号が前記ファクシミリ通信ユニットからのファクシミリ終了信号である場合にテレビ電話モデムに切り替えるにはテレビ電話ユニットの電源オン信号も必要であるとしてもよい。あるいは公衆回線からのテレビ電話着信信号を受信した場合にもテレビ電話モデムに切り替わるようにしてもよい。
【００１１】
前記課題を解決するために提供する本願第二の発明に係る通信制御ユニットは、テレビ電話機に付属のテレビ電話モデムと接続される第１端子部と、ファクシミリ通信機に付属のファックスモデムと接続される第２端子部と、公衆回線と接続される第３端子部と、前記ファクシミリ通信機から受信する信号に基づき、第３端子部との接続を第１端子部、第２端子部いずれかに切り替えるモデム切り替え部とを備え、前記モデム切り替え部が前記ファクシミリ通信機からファクシミリ送信信号を受信した場合に前記第２端子部と第３端子部とを接続し、前記ファクシミリ通信機からファクシミリ終了信号を受信した場合に前記第１端子部と第３端子部とを接続することを特徴とする。
【００１２】
この発明により、回線を切断することなく１回の回線接続でテレビ電話機とファクシミリ通信機との２つの通信機の連続した使用が可能となる。また、ファクシミリ通信機のスタートボタンを押下するとファクシミリ通信が開始され、その後ファクシミリ通信からテレビ電話へは自動的に切り替わり、引き続きテレビ電話によるやり取りができる。ファクシミリ通信からテレビ電話への切り替えを意識する必要もなく、１回のボタン操作だけの簡単操作が可能である。さらに、制御方式も入力信号による回線のスイッチ切り替えの方式となるため、通信制御ユニットの構成も単純となる。
なお、通信制御ユニットにおいて、公衆回線から相手側からのファクシミリ通知信号を受信した場合にファックスモデムを公衆回線に接続するようにしてもよい。
また、前記ファクシミリ通信機から受信する信号がファクシミリ終了信号である場合にテレビ電話モデムに切り替えるにはテレビ電話機の電源オン信号も必要であるとしてもよい。あるいは公衆回線からのテレビ電話着信信号を受信した場合にもテレビ電話モデムに切り替わるようにしてもよい。
【００１３】
【発明の実施の形態】
以下に、本発明に係るテレビ電話機能付きファクシミリ通信機の一実施の形態における構成について図面を参照して説明する。
図１は、本発明に係るテレビ電話機能付きファクシミリ通信機の構成を示す外観図である。
図２は、本発明に係るテレビ電話機能付きファクシミリ通信機の通信時の機能構成を示すブロック図である。
図３は、本発明に係るテレビ電話機能付きファクシミリ通信機のテレビ電話ユニットに関するシステム仕様の一例を示す図である。
図４は、本発明に係るテレビ電話機能付きファクシミリ通信機のうち、通信制御ユニットの機能構成を示すブロック図である。
図５は、本発明に係るテレビ電話機能付きファクシミリ通信機の使用方法を示すダイアグラム図である。
【００１４】
（全体構成）
本発明に係るテレビ電話機能付きファクシミリ通信機の構成について、図１〜３を基に説明する。
図１に示すように、本発明に係るテレビ電話機能付きファクシミリ通信機１は、テレビ電話機とファクシミリ通信機とが一体となった形態の通信機となっており、外観上、通信の共通部分であるメイン電源スイッチ１１とプッシュボタン１２と受話器１３と発光ランプ１４と、ファクシミリ通信機能に関わるファックススタートボタン２１と送信トレイ２２と受信トレイ２３と、テレビ電話機能に関わるフックスイッチ３１と内蔵カメラ３２とモニター３３とマイク３４とスピーカ３５とを有する。
【００１５】
また、図２に示すように、本発明に係るテレビ電話機能付きファクシミリ通信機ａは、機能面において通信制御ユニットａ４が中央に配置され、その通信制御ユニットａ４にファックスモデムａ２６を介してファクシミリ通信ユニットａ２が、テレビ電話モデムａ３６を介してテレビ電話ユニットａ３が接続された構成となっている。また、通信制御ユニットａ４にはメイン電源スイッチａ１１、プッシュボタンａ１２、ファックススタートボタンａ２１、フックスイッチａ３１の信号が制御信号として受信されるように接続されている。なお、テレビ電話機能付きファクシミリ通信機ｂも同じ構成である。
通信は、通信制御ユニットａ４、ｂ４の間で回線Ｌを経由して行われる。例えば、通信機ａから通信機ｂへのファクシミリ通信の場合の流れは、ファクシミリ通信ユニットａ２→ファックスモデムａ２６→通信制御ユニットａ４→回線Ｌ→通信制御ユニットｂ４→ファックスモデムｂ２６→ファックス通信ユニットｂ２となる。
【００１６】
本発明に係るテレビ電話機能付きファクシミリ通信機１で使用されるファクシミリ通信ユニット２とテレビ電話ユニット３のシステム仕様は、それぞれ特別なものである必要はなく、市販されている一般的な通信機のシステム仕様で構わない。
一例として、テレビ電話ユニットに関するシステム仕様を図３に示す。ここでは、ＩＳＤＮ回線で使用されるシステム仕様（Ｈ．３２０）となっている。
【００１７】
（通信制御ユニット）
本発明に係る通信制御ユニット４の構成と動作内容について、図４を基に説明する。
図４に示すように、通信制御ユニット４はファクシミリ通信ユニット２に付属のファックスモデム２６と接続される端子部４３と、テレビ電話ユニット３に付属のテレビ電話モデム３６と接続される端子部４２と、回線Ｌと接続される端子部４４と、モデム切り替え部４１とを備えている。ここで、モデム切り替え部４１は前記ファクシミリ通信ユニット２から受信される信号Ｓに基づき、端子部４４との接続を端子部４２、端子部４３のいずれかに切り替えるスイッチの役割と回線Ｌとの通信回線をファクシミリ通信ユニット２、テレビ電話ユニット３のいずれかへ接続する回線の役割とをもっている。
また、ファクシミリ通信ユニット２から受信される信号Ｓとは、ファックススタートボタンが押されることによるファクシミリ送信信号と、ファクシミリ送信が完了したことによるファクシミリ終了信号との２種類である。
これらの信号のうち前者の信号では、モデム切り替え部４１においてファクシミリ通信を行うためにファックスモデム２６と接続される端子部４３と回線Ｌと接続される端子部４４とがつながるように接続が切り替えられる。
後者の信号では、続いてテレビ電話通信を行うためにテレビ電話モデム３６と接続される端子部４２と回線Ｌと接続される端子部４４とがつながるように接続が切り替えられる。
【００１８】
（使用方法）
本発明に係るテレビ電話機能付きファクシミリ通信機の使用方法について、図２、４を参照しながら図５を基に説明する。なお、図５では、送信者、受信者ともに図１〜４に示したテレビ電話機能付きファクシミリ通信機ａ、ｂを使用しており、使用開始時には送信側通信機ａ、受信側通信機ｂともにメイン電源のスイッチが入り、起動が完了している。また、以下の説明では、テレビ電話機能付きファクシミリ通信機内の機器に関して送信側通信機ａと受信側通信機ｂとの区別をつけるために、図１、４中の機器を示す符号の頭に送信側通信機ａを示す「ａ」を、受信側通信機ｂを示す「ｂ」を付けた符号を用いている。
【００１９】
（Ｓ１）送信者が送信文書を送信側通信機ａの送信トレイａ２２にセットする。ＯＮフックの状態で受信側の電話番号に対応したプッシュボタンａ１２の番号を押した後、ファックススタートボタンａ２１を押す。このファックススタートボタンａ２１の操作によって、送信側通信機ａでは以下の通信および動作が同時にあるいは順次実行される。
（１）通信制御ユニットａ４がプッシュボタンａ１２で押された番号に対応するトーン音を発信し、受信側通信機ｂを呼び出すことにより回線Ｌが公衆回線として接続される。
（２）ファクシミリ通信通信ユニットａ２から通信制御ユニットａ４のモデム切り替え部ａ４１にファクシミリ送信信号が発信され、その信号に基づきモデム切り替え部ａ４１内でファックスモデムａ２６が接続された端子部ａ４３と回線Ｌが接続された端子部ａ４４とがつながれる。なお、最初から端子部ａ４３と端子部ａ４４とが接続されている場合にはその接続状態が維持される。
（３）送信文書が読み込まれ、その情報がファクシミリ通信ユニットａ２のメモリ（図示せず）に蓄積される。
【００２０】
（Ｓ２）ファクシミリ通信ユニットａ２からファックスモデムａ２６、通信制御ユニットａ４、回線Ｌを経由して受信側通信機ｂへファクシミリ通知信号が送信される。この通知信号によって、受信側通信機ｂでは以下の通信および動作が同時にあるいは順次実行される。
（１）ファクシミリ通信ユニットｂ２からファックスモデムｂ２６、通信制御ユニットｂ２、回線Ｌとを経由して送信側通信機ａへファクシミリ応答信号が送信される。
（２）受信側通信機ｂの通信制御ユニットｂ２のモデム切り替え部ｂ４１が送信側通信機ａからのファクシミリ通知信号を受信し、その信号がトリガーとなってファックスモデムｂ２６が接続された端子部ｂ４３と回線Ｌが接続された端子部ｂ４４とがつながれる。なお、最初から端子部ｂ４３と端子部ｂ４４とが接続されている場合にはその接続状態が維持される。
【００２１】
（Ｓ３）ファクシミリ通信ユニット２が受信側通信機ｂからのファクシミリ応答信号を受信し、その信号がトリガーとなってファクシミリ通信ユニットａ２のメモリに蓄積された送信文書の情報がファックスモデム２６、通信制御ユニットａ４、回線Ｌを経由して受信側通信機ｂへ送信される。
（１）この送信終了時にファクシミリ通信通信ユニットａ２から通信制御ユニットａ４のモデム切り替え部ａ４１にファクシミリ終了信号が発信され、その信号に基づきモデム切り替え部ａ４１内でテレビ電話モデムａ３６が接続された端子部ａ４２と回線Ｌが接続された端子部ａ４４との接続に切り替えられ、さらに回線Ｌは自動的にＩＳＤＮ回線に切り替えられテレビ電話モードとなる。
（２）送信側通信機ａからの送信文書の情報を受信側通信機ｂの通信制御ユニットｂ２が受信する。この受信中あるいは受信の完了後に、受信した送信文書の情報の内容を印刷し、受信トレイｂ２３に排出する。
【００２２】
（Ｓ４）送信側通信機ａのテレビ電話ユニットａ３からテレビ電話モデムａ３６、通信制御ユニットａ４、回線Ｌを経由して受信側通信機ｂへテレビ電話要求信号が送信される。この要求信号によって、受信側通信機ｂでは以下の通信および動作が同時にあるいは順次実行される。
（１）受信側通信機ｂの通信制御ユニットｂ２のモデム切り替え部ｂ４１が送信側通信機ａからのテレビ電話要求信号を受信し、その信号がトリガーとなってテレビ電話モデムｂ３６が接続された端子部ｂ４２と回線Ｌが接続された端子部ｂ４４との接続に切り替えられ、さらに回線Ｌは自動的にＩＳＤＮ回線に切り替えられテレビ電話モードとなる。このとき、モデム切り替え部ｂ４１の切り替えのために、前記テレビ電話要求信号に加えて、次に示す受信側通信機ｂのフックスイッチｂ３１のオン信号を必要条件としてもよい。
（２）受信側通信機ｂのフックスイッチｂ３１のオンオフ状態に応じてテレビ電話に関する機器が次のように動作する。
（ａ）フックスイッチｂ３１がオンの場合
モニター電源が入った状態であり、内蔵カメラｂ３２およびマイクｂ３４が作動し、受信者側の画像と音声の情報がテレビ電話ユニットｂ３からテレビ電話モデムｂ３６、通信制御ユニットｂ２、回線Ｌとを経由して送信側通信機ａへ送信される（つぎのステップＳ５へ進む）。
（ｂ）フックスイッチｂ３１がオフの場合
テレビ電話の要求を意味する発光ランプｂ１４が点灯する。受信者がテレビ電話に応じる場合にはフックスイッチｂ３１を押してオンにすればよい。応じたくない場合にはそのままの状態で放置するか、受話器ｂ１３側のフックスイッチを押す。
送信側通信機ａでは、発光ランプａ１４が受信側通信機ｂからの画像と音声の情報の受信待ちの状態を意味する点滅状態にある。一定の時間（数秒間）待機し、受信側通信機ｂからの画像と音声の情報が送信されてこない場合には自動的に回線Ｌが切断され、通信が終了する。
【００２３】
（Ｓ５）双方向の画像と音声の情報のやり取りが行われる（テレビ電話）。このときにステップＳ４までのファクシミリ通信で送信された書面に関する説明、打ち合わせ、意見交換などを行う。
なお、このときの画像はそれぞれの通信機ａ、ｂに設置されている内蔵カメラａ３２、ｂ３２で撮影された画像情報がそれぞれ相手側のモニターａ３３、ｂ３３上に映し出されている。音声に関して、それぞれの受話器ａ１３、ｂ１３を使用してもよいが、マイクａ３４、ｂ３４を使用すると送受信者の両手が他のことに使えるため便利である。
【００２４】
（Ｓ６）テレビ電話が終わった後、送信側通信機ａのフックスイッチａ３１、または受話器ａ１３側のフックスイッチを押して回線Ｌの通信を切断する。また、受信側通信機ｂのフックスイッチｂ３１、または受話器ｂ１３側のフックスイッチを押して回路を切断する。
【００２５】
以上の使用方法では、ファクシミリ通信から始まり、テレビ電話通信に切り替わり通信が終了する場合を示したが、最初にテレビ電話通信から始まり、途中でファクシミリ通信を行い、その後再びテレビ電話通信を行うようにしてもよい。この場合でも、テレビ電話通信からファクシミリ通信への切り替えはファックススタートボタンを押すことで可能である。
なお、テレビ電話のみを使用する場合には、テレビ電話ユニット３側のフックスイッチ３１をオンにした後に通常ダイヤルすることでテレビ電話通信から開始することが可能である。
また、ファクシミリ通信では公衆回線を使用し、テレビ電話ではＩＳＤＮ回線を使用した態様を示したが、使用回線は特に制約されるものではなく、ファクシミリ通信ユニット、テレビ電話ユニットともに通信種類に対応した機器仕様であれば公衆回線、ＩＳＤＮ回線のいずれであってもかまわない。
【００２６】
【発明の効果】
本発明に係るテレビ電話機能付きファクシミリ通信機によれば、回線を切断することなく１回の回線接続でファクシミリ通信に続き、テレビ電話によるやり取りが可能となる。また、ファクシミリ通信のスタートボタンを押下するとファクシミリ通信が開始され、その後ファクシミリ通信からテレビ電話へは自動的に切り替わり、引き続きテレビ電話によるやり取りができる。ファクシミリ通信からテレビ電話への切り替えを意識する必要もなく、１回のボタン操作だけの簡単操作が可能である。さらに、制御方式も入力信号による回線のスイッチ切り替えの方式となるため、通信機の構成も単純となる。
【００２７】
本発明に係る通信制御ユニットによれば、そのユニットにファクシミリ通信機とテレビ電話機とを接続することによって、回線を切断することなく１回の回線接続でファクシミリ通信に続き、テレビ電話によるやり取りが可能となる。また、ファクシミリ通信のスタートボタンを押下するとファクシミリ通信が開始され、その後ファクシミリ通信からテレビ電話へは自動的に切り替わり、引き続きテレビ電話によるやり取りができる。ファクシミリ通信からテレビ電話への切り替えを意識する必要もなく、１回のボタン操作だけの簡単操作が可能である。さらに、制御方式も入力信号による回線のスイッチ切り替えの方式となるため、通信機の構成も単純となる。
【図面の簡単な説明】
【図１】本発明に係るテレビ電話機能付きファクシミリ通信機の構成を示す外観図である。
【図２】本発明に係るテレビ電話機能付きファクシミリ通信機の通信時の機能構成を示すブロック図である。
【図３】本発明に係るテレビ電話機能付きファクシミリ通信機のテレビ電話ユニットに関するシステム仕様の一例を示す図である。
【図４】本発明に係るテレビ電話機能付きファクシミリ通信機のうち、通信制御ユニットの機能構成を示すブロック図である。
【図５】本発明に係るテレビ電話機能付きファクシミリ通信機の使用方法を示すダイアグラム図である。
【符号の説明】
１，ａ，ｂ　…　テレビ電話機能付きファクシミリ通信機、２，ａ２，ｂ２　…　ファクシミリ通信ユニット、３，ａ３，ｂ３　…　テレビ電話ユニット、４，ａ４，ｂ４　…　通信制御ユニット、１１，ａ１１，ｂ１１　…　メイン電源スイッチ、１２　…　電話プッシュボタン、１３　…　受話器、１４，ａ１４，ｂ１４　…　発光ランプ、２１，ａ２１，ｂ２１　…　ファックススタートボタン、２２　…　送信トレイ、２３　…　受信トレイ、２６，ａ２６，ｂ２６　…ファックスモデム、３１，ａ３１，ｂ３１　…　フックスイッチ、３２，ａ３２，ｂ３２　…　内蔵カメラ、３３，ａ３３，ｂ３３　…　モニター、３４，ａ３４，ｂ３４　…　マイク、３５，ａ３５，ｂ３５　…　スピーカ、３６，ａ３６，ｂ３６　…　テレビ電話モデム、４１　…　モデム切り替え部、４２，４３，４４　…　端子部、Ｌ　…回線、Ｓ　…　信号
【図１】
2004048578.tif 000003
【図２】
2004048578.tif 000004
【図３】
2004048578.tif 000005
【図４】
2004048578.tif 000006
【図５】
2004048578.tif 000007